(57)【要約】【課題】  外筒(1)を軸方向に貫通する通水管(20a)(20b)と、前記外筒(1)の内周と通水管の外周との間に介在される保温材(3)と、前記外筒(1)の端部内周と前記通水管の外周との相互空間を被覆する防火板(4)とを具備し、前記通水管(20a)(20b)の外周と前記保温材(3)の境界に接着剤が介在されており、更に、前記防火板(4)と前記外筒(1)が固定されている、保温配管ユニットに於いて、前記接着剤が乾燥硬化するまで通水管(20a)(20b)の姿勢を固定する為の特別な固定治具を不要にする。【解決手段】  前記防火板(4)に対して前記通水管(20a)(20b)を周方向及び軸方向に移動不能状態に結合した。【選択図】  図１
2006322546.tif 000002
【特許請求の範囲】
【請求項１】
外筒(1)を軸方向に貫通する通水管と、
前記外筒(1)の内周と通水管の外周との間に介在される保温材(3)と、
前記外筒(1)の端部内周と前記通水管の外周との相互空間を被覆する防火板(4)とを具備し、
前記通水管の外周と前記保温材(3)の境界に接着剤が介在されており、更に、前記防火板(4)と前記外筒(1)が固定されている、保温配管ユニットに於いて、
前記防火板(4)に対して前記通水管を周方向及び軸方向に移動不能状態に結合した、保温配管ユニット。
【請求項２】
請求項１に記載の保温配管ユニットに於いて、
前記防火板(4)に対して通水管を溶接で結合した、保温配管ユニット。
【請求項３】
請求項１に記載の保温配管ユニットに於いて、
前記通水管の軸方向の一部の外周輪郭形状が非円形に形成されており、
前記防火板(4)は、前記通水管を直径方向から挟む複数の単位防火板に分割され、
前記単位防火板の前記挟む部分は、前記非円形の外周輪郭形状部に外嵌する、保温配管ユニット。
【発明の詳細な説明】
【技術分野】
【０００１】
本発明は、通水管を保温材で被覆した構造の保温配管ユニットに関するものである。
【背景技術】
【０００２】
寒冷地で設置される給湯機では、冬の寒い時期に配管内が凍結する恐れがあることから、給湯機本体に接続される配管接続用の通水管を発泡スチロール等の保温材で被覆して凍結防止を図るのが一般的である。
図５は、本発明の対象たる保温配管ユニットを使用した配管構造を説明する断面図である。
給湯機(9)の下部に接続された中継パイプ(90)(90)は、家屋の壁体(91)に貫設された配管孔(92)に挿通された保温配管ユニット(U)を介して屋外配管(93)に接続されるようになっている。
【０００３】
図６の（イ）に示すように、前記保温配管ユニット(U)は、銅製の通水管(20a)(20b)を発泡スチロール製の保温材(3)で被覆して外筒(1)に挿入固定する構造で、その端部は防火板(4)で閉塞されるようになっている（同図（ロ）参照。）。
外筒(1)の周壁には、平面視Ｈ状の切込(14)を入れることにより固定舌片(11)(11)が形成されている。
保温材(3)はサイド保温材(30)(32)とその間に挟まれるセンタ保温材(31)に３分割されており、これらサイド保温材(30)(32)とセンタ保温材(31)には通水管(20a)(20b)を挿通する為のパイプ装填溝(3a)(3a)と、他の配管用の補助溝(3b)が形成されている。又、前記サイド保温材(30)(32)及びセンタ保温材(31)の上面には、後述する固定金具(45)を嵌入する為の固定溝(33)が形成されている。更に、防火板(4)は、サイド板(40)(42)とその間に挟まれるセンタ板(41)に３分割されている。
【０００４】
次に、上記各部品を用いて従来の保温配管ユニット(U)を組み立てる方法を説明する。
先ず、保温材(3)を構成するサイド保温材(30)及びセンタ保温材(31)のパイプ装填溝(3a)(3a)にシリコン製の接着剤を塗布すると共に、該パイプ装填溝(3a)(3a)部分で通水管(20a)(20b)を挟み込むようにサイド保温材(30)とセンタ保温材(31)を重ね合わせ、更に、他のサイド保温材(32)も重ね合わせて筒状の保温材(3)に合体させる。次に、筒状に合体した保温材(3)と通水管(20a)(20b)の集合物を外筒(1)に挿入する。
その後、外筒(1)の周壁の固定舌片(11)(11)を、保温材(3)の上面の固定溝(33)内まで押し込んで水平姿勢に折り曲げると共に、該固定舌片(11)(11)に固定金具(45)をビス(46)(46)で固定する。その後、同図の（ロ）に示すように、外筒(1)の端部を防火板(4)で閉塞し、これら外筒(1)と防火板(4)の周縁境界部をＴＩＧ（Tungsten  Inert  Gas）溶接(S)(S)で固定する。その後、通水管(20a)(20b)が軸方向及び周方向に移動しないように固定治具（図示せず）で全体を固定し、これにより、保温材(3)と通水管(20a)(20b)の嵌合部に塗布された前記シリコン製接着剤が乾燥硬化するまで放置する。これにより、器具設置現場の配管に適した姿勢に固定された通水配管(20a)(20b)を具備する保温配管ユニット(U)が完成する。
このものでは、通水管(20a)(20b)と保温材(3)が前記シリコン製接着剤で接着固定されているから、通水管(20a)(20b)が軸方向及び周方向に移動することがない。よって、保温配管ユニット(U)を利用した現場での配管作業が円滑に行える。
【特許文献１】特開２０００−９７５０２号公報
【発明の開示】
【発明が解決しようとする課題】
【０００５】
しかしながら、上記従来の保温配管ユニット(U)を工場生産する場合には、保温材(3)と通水管(20a)(20b)を接着する為の接着剤が乾燥硬化するまで通水管(20a)(20b)の姿勢を固定する為の特別な前記固定治具が必要になるという問題があった。
本発明は、係る点に鑑みて成されたもので、
『外筒(1)を軸方向に貫通する通水管と、
前記外筒(1)の内周と通水管の外周との間に介在される保温材(3)と、
前記外筒(1)の端部内周と前記通水管の外周との相互空間を被覆する防火板(4)とを具備し、
前記通水管の外周と前記保温材(3)の境界に接着剤が介在されており、更に、前記防火板(4)と前記外筒(1)が固定されている、保温配管ユニット』に於いて、前記接着剤が乾燥硬化するまで通水管(20a)(20b)の姿勢を固定する為の特別な固定治具を不要にすることを課題とする。
【課題を解決するための手段】
【０００６】
［請求項１に係る発明]
上記課題を解決するための請求項１に係る発明の技術的手段は、
『前記防火板(4)に対して前記通水管を周方向及び軸方向に移動不能状態に結合した』ことである。
上記技術的手段によれば、防火板(4)に対して通水管が軸方向及び周方向に移動不能状態に結合されているから、保温材(3)と通水管の境界に介在した接着剤が自然硬化するまで通水管の姿勢が変化することがない。
従って、前記自然硬化まで通水管の姿勢を維持するための特別な固定治具が不要になる。
【０００７】
［請求項２に係る発明]
請求項１に係る発明に於いて、
『前記防火板(4)に対して通水管を溶接で結合した』ものでは、防火板(4)に対して通水管をロウ付け等の溶接をするだけで結合することができ、結合の為の作業が簡便に行える。
【０００８】
［請求項３に係る発明]
請求項１に係る発明に於いて、
『前記通水管の軸方向の一部の外周輪郭形状が非円形に形成されており、
前記防火板(4)は、前記通水管を直径方向から挟む複数の単位防火板に分割され、
前記単位防火板の前記挟む部分は、前記非円形の外周輪郭形状部に外嵌する』ものでは、単位防火板を通水管の非円形の外周輪郭形状部に外嵌すると、防火板(4)に対して通水管が周方向及び軸方向に係合して移動阻止状態になる。
【発明の効果】
【０００９】
本発明は次の特有の効果を有する。
防火板(4)に対して通水管を軸方向及び周方向に移動不能状態に結合したから、保温材(3)と通水管の境界に介在した接着剤が自然硬化するまで通水管の姿勢が変化しない。従って、自然硬化まで通水管の姿勢を維持するための特別な固定治具が不要になる。
請求項２に係る発明によれば、既述したように、防火板(4)と通水管を溶接するだけで結合することができるから、結合の為の作業が簡便に行える。
請求項３に係る発明では、単位防火板を通水管に外嵌するだけで、これら両者が位置決めされるから、請求項２に係る発明のように溶接装置が必要ない。
【発明を実施するための最良の形態】
【００１０】
以下に、本発明を実施するための最良の形態について添付図面を参照しながら説明する。
図１の（イ）〜（ニ）に示すように、本発明の実施の形態に係る保温配管ユニット(U)は、既述従来のものと同様に、通水管(20a)(20b)と、これを被覆する発泡スチロール製の保温材(3)と、該保温材(3)に外嵌装着する外筒(1)と、更に、通水管(20a)(20b)と外筒(1)の端部内周との相互間を被覆する防火板(4)とから構成されている。
通水管(20a)(20b)は銅パイプで形成されており、これら通水管(20a)(20b)は実質的に同一の構成を有している。
【００１１】
図１（イ）に示すように、通水管(20a)は中央直線部(a)とその両端から屈曲した屈曲部(b)(c)を具備しており、屈曲部(b)の端末部には配管接続用の差込筒(e)が設けられている。又、他方の屈曲部(c)の端末部には配管接続用の結合フランジ(f)が固定されている。
通水管(20a)(20b)を被覆する発泡スチロール製の保温材(3)は、サイド保温材(30)(32)とその間に挟まれるセンタ保温材(31)に、直径方向に３分割されており、これらサイド保温材(30)(32)とセンタ保温材(31)は円柱状に組み合わされるようになっている。
図１（ハ）及び図２に示すように、センタ保温材(31)は略長方形断面を有していると共に、一方の平面部には通水管(20a)(20b)に外嵌するパイプ装填溝(3a)(3a)が軸方向全域に亙って形成されている。又、他方の平面部には、図示しない通水管を挿通させる為の補助溝(3b)(3b)が形成されている。
【００１２】
図２に示すように、サイド保温材(30)(32)は左右対称な略半円形状の断面に形成されており、一方のサイド保温材(30)の平面部には、前記センタ保温材(31)のパイプ装填溝(3a)(3a)に対向するパイプ装填溝(3a)(3a)が形成されている。又、他方のサイド保温材(32)の平面部には、前記センタ保温材(31)に形成された補助溝(3b)(3b)に対向する補助溝(3b)(3b)が形成されている。
又、図１（ハ）に示すように、センタ保温材(31)及びサイド保温材(30)(32)の上面には、後述の固定金具(45)を装填する固定溝(33)が直径方向に形成されている。
【００１３】
円板状の防火板(4)は、前記保温材(3)（センタ保温材(31)及びサイド保温材(30)(32)の集合）と同様に、請求項３の発明特定事項たる「単位防火板」に対応するサイド板(40)(42)とその間に挟まれるセンタ板(41)に３分割されていると共に、該防火板(4)は円柱状に組み合わされた保温材(3)の端面より一回り大きい直径を有してる。このような大きさの直径にすることで、サイド板(40)(42)及びセンタ板(41)の円弧状外周縁が後述のように外筒(1)一端外周にＴＩＧ溶接で添設固定される。
【００１４】
図１（イ）〜（ニ）に示すように、略長方形のセンタ板(41)の一方の長辺部には既述保温材(3)のセンタ保温材(31)に形成されたパイプ装填溝(3a)(3a)部に重ねられるパイプ装填溝(4a)(4a)が形成されていると共に、該パイプ装填溝(4a)(4a)に通水管(20a)(20b)が嵌め込まれるようになっている。一方、センタ板(41)の他方の長辺部には、センタ保温材(31)に形成された補助溝(3b)(3b)部分に重ね合わされる補助溝(4b)(4b)が形成されている。
【００１５】
サイド板(40)(42)は左右対称な略半円形状に形成されており、一方のサイド板(40)の直線部には、前記センタ板(41)のパイプ装填溝(4a)(4a)に対向するパイプ装填溝(4a)(4a)が形成されている。他方のサイド板(42)の直線部には、センタ板(41)の補助溝(4b)(4b)に対向する補助溝(4b)(4b)が形成されている。
【００１６】
保温材(3)に外嵌するステンレス製の外筒(1)は、両端が開放していると共に、一方の開放端の外周縁には、器具設置現場たる家屋の壁体(91)（図５参照）に固定する為の一対の取付片(12)(12)が外方へ張り出した固定フランジ(10)がカシメ結合されている。具体的には、図４の（イ）に示すように、外筒(1)を構成する両端開放の筒状主体(19)の一端近傍の外周にヒモ出し部(18)を隆起形成すると共に、筒状主体(19)に於ける前記ヒモ出し部(18)側の端部から固定フランジ(10)を外嵌し、その後同図（ロ）に示すように、筒状主体(19)のヒモ出し(18)側の端部を外側に屈曲させて屈曲起立片(17)を形成し、これにより該屈曲起立片(17)と前記ヒモ出し部(18)で固定フランジ(10)の内周をカシメ固定する。
尚、図１の（ニ）に示す組立て状態では、外筒(1)の固定フランジ(10)側の屈曲起立片(17)に、防火板(4)を構成するサイド板(40)(42)及びセンタ板(41)の外周部を当接させた状態でＴＩＧ溶接(S)(S)にて結合固定できるようになっている。
【００１７】
又、外筒(1)の外周上面には、その構成壁にＨ状の切込(14)を入れて形成した一対の固定舌片(11)(11)が設けられていると共に、該固定舌片(11)(11)には後述のビス(46)(46)を螺入するネジ孔(110)(110)が形成されている。尚、外筒(1)に保温材(3)を挿入する前は、固定舌片(11)(11)は、図１（ハ）の実線で示すように外筒(1)の外周に沿った形状に湾曲しており、これにより、保温筒(3)が固定舌片(11)(11)に干渉することなく外筒(1)に挿入し得るようになっている。
外筒(1)と保温材(3)を回り止め状態に固定する固定金具(45)は、金属板を上方開放の溝材状に曲げ加工したものであり、その底面にはビス(46)を挿通する為の透孔（図示せず）が開設されている。
【００１８】
次に、上記各部品を用いて本実施の形態に係る保温配管ユニットの組立作業を図１の（イ）〜（ニ）に基づいて説明する。
先ず、（イ），（ロ）に示すように、防火板(4)を構成するサイド板(40)及びセンタ板(41)のパイプ装填溝(4a)(4a)に通水管(20a)(20b)を嵌め込むと共に、これらサイド板(40)及びセンタ板(41)と通水管(20a)(20b)の周方向及び軸方向の相対位置を所定に設定する。そして、この状態でセンタ板(41)及びサイド板(40)と通水管(20a)(20b)の境界(P)(P)をロウ付け溶接することにより、これらを相互に結合する。
【００１９】
次に、保温材(3)を構成するサイド保温材(30)及びセンタ保温材(31)に形成されたパイプ装填溝(3a)(3a)にシリコン製接着剤(39)(39)を塗布して通水管(20a)(20b)を密に嵌め込むと、（ハ）に表れるように、通水管(20a)(20b)の軸方向の中央部の外周がサイド保温材(30)とセンタ保温材(31)で被覆された状態になる。
【００２０】
次に、前記サイド保温材(30)に残余のサイド保温材(32)を重ねて筒状の保温材(3)にし、該保温材(3)（通水管(20a)(20b)が貫通している）を、外筒(1)内に取付片(12)(12)側から挿入する。そして、保温材(3)の端部面に重なった防火板(4)（サイド板(40)(42)及びセンタ板(41)の集合）の外周に沿った表面部を、外筒(1)の固定フランジ(10)側端部の屈曲起立片(17)に当接させる（この状態では、防火板(4)の外周縁と屈曲起立片(17)の外周縁が重なった状態になる）。すると、保温材(3)の上面に形成された固定溝(33)が外筒(1)の固定舌片(11)(11)の形成部に対応する。この状態で、前記固定舌片(11)(11)を、保温材(3)の上面の固定溝(33)内まで押し込んで水平姿勢に折り曲げると共に、該固定舌片(11)(11)に固定金具(45)をビス(46)(46)で固定する。これにより、保温材(3)が外筒(1)に対して軸方向及び周方向に移動不能状態に固定される。
【００２１】
次に、（ニ）に示すように、防火板(4)を構成するサイド板(40)(42)及びセンタ板(41)の外周と外筒(1)の固定フランジ(10)側の屈曲起立片(17)をＴＩＧ溶接(S)(S)で固定する。すると、前記防火板(4)と通水管(20a)(20b)の嵌合境界(P)(P)がロウ付け溶接で結合されているから、外筒(1)と通水管(20a)(20b)とが軸方向及び周方向に移動不能状態に固定される。そして、この状態で所定時間放置すると、保温材(3)のパイプ装填溝(3a)(3a)と通水管(20a)(20b)の嵌合境界部に塗布された既述シリコン製の接着剤が自然硬化し、本実施の形態に係る保温配管ユニットが完成する。
【００２２】
このように、上記実施の形態に係る保温配管ユニットでは、防火板(4)と通水管(20a)(20b)をロウ付け溶接したから、通水管(20a)(20b)が外筒(1)及び保温材(3)に対してシリコン製接着剤の硬化時まで回転しないと共に軸方向に移動しない。従って、外筒(1)及び保温材(3)と通水管(20a)(20b)を固定する為の特別な固定治具が不要となる。
尚、完成した保温配管ユニット(U)は、既述従来のものと同様に、図５に示す家屋の壁体(91)の配管孔(92)に挿通して給湯機(9)の配管作業に使用する。
【００２３】
［その他]
１．上記実施の形態では、通水管(20a)(20b)と防火板(4)の境界(P)(P)をロウ付け溶接で結合したが、図３に示すように、通水管(20a)(20b)方向の一部の外周を凹ませて直線状凹溝(29)を形成し、これにより、通水管(20a)(20b)の外周輪郭形状を非円形にしてもよい。そして、防火板(4)を構成す単位防火板たるサイド板(40)とセンタ板(41)で通水パイプ(20a)を挟む部分を、前記非円形の外周輪郭形状部に外嵌する形状にする。即ち、サイド板(40)に形成したパイプ装填溝(4a)の底部(49)を、前記直線状凹溝(29)に嵌入係合するように直線状に形成する。このようにすると、前記サイド板(40)と通水管(20a)(20b)が直線状凹溝(29)とパイプ装填溝(4a)の周縁たる底部(49)で係合し、これにより、通水管(20a)(20b)が周方向及び軸方向に移動阻止状態に結合されるから、上記実施の形態の保温配管ユニットと同様の作用・効果が得られる。
【図面の簡単な説明】
【００２４】
【図１】本発明の実施の形態に係る保温配管ユニット(U)の構造及び組立作業を説明する図
【図２】保温材(3)の断面図
【図３】本発明の実施の形態の変形例を示す要部説明図
【図４】外筒(1)の組立て作業の説明図
【図５】保温配管ユニット(U)を用いた給湯機の配管説明図
【図６】従来例の説明図
【符号の説明】
【００２５】
(1)・・・外筒
(3)・・・保温材
(4)・・・防火板
(20a)(20b)・・・通水管
【図１】
2006322546.tif 000003
【図２】
2006322546.tif 000004
【図３】
2006322546.tif 000005
【図４】
2006322546.tif 000006
【図５】
2006322546.tif 000007
【図６】
2006322546.tif 000008